(57)【特許請求の範囲】
【請求項１】
高アスペクト比分子構造（ＨＡＲＭＳ）を移動させる方法であって、１つ以上の束状及び単離状のＨＡＲＭ構造を含んでなる分散物に対して力を印加するステップを含んでなり、電気力又は静電力を含む当該力の印加により、当該単離状のＨＡＲＭ構造が電気的中性であるのに対して当該束状のＨＡＲＭ構造が自発的な荷電を有することに基づいて、当該束状のＨＡＲＭ構造が移動し、当該束状及び単離状のＨＡＲＭ構造が各々実質的に分離される、前記方法。
【請求項２】
更に、１つ以上のＨＡＲＭ構造を、ガス中、液体中及び／又は固体中に分散させ、及び／又はマトリックス及び／又は表面上に、積層体、パターン及び／又は構造体として堆積させることを含んでなる、請求項１記載の方法。
【請求項３】
束状又は単離状のＨＡＲＭ構造が堆積する、請求項１又は２記載の方法。
【請求項４】
束状及び単離状のＨＡＲＭ構造が堆積する、請求項１から３のいずれか１項記載の方法。
【請求項５】
前記ＨＡＲＭ構造が、ナノチューブ、カーボンナノチューブ、フラーレン官能化カーボンナノチューブ、ホウ素−窒化物ナノチューブ、カーボン、リン、ホウ素、窒素及び／若しくはシリコンを含有するナノロッド、フィラメント並びに他のチューブ、ロッド及び／若しくはリボン又は他の単離状若しくは束状の形態の高アスペクト比分子構造を含んでなる、請求項１から４のいずれか１項記載の方法。
【請求項６】
前記束状のＨＡＲＭ構造が正荷電又は負荷電され、前記単離状のＨＡＲＭ構造が中性荷電されている、請求項１から５のいずれか１項記載の方法。
【請求項７】
１つ以上の反応物質、薬剤、コーティング材料、官能化材料、界面活性剤及び／又はドーパントが、前記１つ以上のＨＡＲＭ構造に添加される、請求項１から６のいずれか１項記載の方法。
【請求項８】
１つ以上のＨＡＲＭ構造の生産、分離、修飾、堆積及び／又は更なる処理のための連続プロセス又はバッチプロセスへの、請求項１から７のいずれか１項記載の方法の使用。
【請求項９】
官能化材料の調製への、請求項１から７のいずれか１項記載の方法の使用。
【請求項１０】
厚い若しくは薄いフィルム、ライン、導線、パターン、層状及び／又は三次元構造の調製における、請求項１から７のいずれか１項記載の方法の使用。
【請求項１１】
装置の調製への、請求項１から７のいずれか１項記載の方法の使用。
【発明の詳細な説明】
【技術分野】
【０００１】
本発明は高アスペクト比構造（ＨＡＲＭＳ）の移動方法、及び当該方法の使用に関する。
【背景技術】
【０００２】
高アスペクト比分子構造（ＨＡＲＭＳ）は微小なサイズであり、またほぼ一次元のユニークな形態を有するため、ナノスケールをはじめとするサイズの装置を作製するためのブロックとして有用である。ＨＡＲＭ構造の例としては、例えばカーボンナノチューブ（ＣＮＴｓ）用のナノチューブ（ＮＴｓ）、フラーレン官能化カーボンナノチューブ（ＦＦＣＮＴｓ）、ホウ素−窒化物ＮＴｓ（ＢＮＮＴｓ）、カーボン、リン、ホウ素、窒素及びシリコンを含有するナノロッド、フィラメント、並びに他のチューブ、ロッド若しくはリボン、又は他の高アスペクト比分子構造などが挙げられる。
【０００３】
ＨＡＲＭＳベースのアーキテクチャ（電界−効果トランジスタ、電界放出ディスプレイ、メモリデバイス、量子ケーブル及び論理ゲート回路など）が既に公知となっている。しかしながら、更なる改良及びより広い応用のためには、制御可能かつ経済的な合成方法、分離方法、回収方法、堆積方法、ＨＡＲＭ構造のパターニング及び装置への取り込み方法の更なる開発が必要である。特に、ＨＡＲＭ構造を用いる場合には、多くの個々の（すなわち拘束されていない）ＨＡＲＭ構造がガス中、溶液中若しくは固体中に分散された状態であるか、又はある物体の表面上の堆積物として積層物、フィルム、パターン化されたドット若しくは三次元構造物の状態であることを必要とする。
【０００４】
しかしながら、強い分子間力（例えばｖａｎ  ｄｅｒ  Ｗａａｌｓ及びＣｏｕｌｏｍｂ）が存在するため、多くのタイプのＨＡＲＭ構造は、それらの合成、輸送及び／又は貯蔵の間に、自発的に束を形成することが課題として挙げられる。例えば、炭素アーク放出、レーザーアブレーション及び／又は高圧ＣＯプロセスによるＣＮＴｓの生産により、チューブによる束の形成が高い確率で生じる。
【０００５】
分散液、層、フィルム又は構造体中における単離されたＨＡＲＭ構造を選択的に生産する方法が公知である。
【０００６】
しかしながら、従来公知の方法が有する課題として挙げられることは、単離されたＨＡＲＭ構造の抽出では、典型的には分離合成、精製、官能化及び／又は堆積ステップが行われ、そのためには、界面活性剤、ポリマー、ペプチド又は他の化合物を用いて束を分離除去し、単離されている構造を抽出するという作業を必要とする。かかる方法では、ＨＡＲＭ構造の初期の特性を著しく変化させるおそれがあり、また費用が高価となり、時間を要し、また非効率的でもある。
【０００７】
あるいは、確立された化学蒸着（ＣＶＤ）などの方法を用いて、物体表面における単離されたＨＡＲＭ構造の直接合成も行われている。しかしながら、必然的に高い成長温度及び／又は特定の表層反応を使用しなければならないため、感熱性若しくは熱反応性の基板材料（例えばポリマー）の使用は不可能となり、ＨＡＲＭ構造の、例えばナノスケール電子デバイス、導電性フィルム又は構造コンポジットなどへの単純な取り込みも不可能となる。
【発明の開示】
【発明が解決しようとする課題】
【０００８】
本発明の目的は、上記の欠点を克服することである。
【０００９】
本発明の目的は、ＨＡＲＭ構造を切り離す新規な方法の提供である。本発明の目的は、合成材料の利用効率及び製品収率を改善すること、プロセスの間にＨＡＲＭ構造の分解を減少若しくは抑止すること、束を形成したＨＡＲＭ構造と単離状のＨＡＲＭ構造とを分離すること、並びに、工業的及び商業的に有益である多種多様な基材上への、均一若しくはパターン化された堆積物の低温での形成を可能にすることである。
【課題を解決するための手段】
【００１０】
当該方法及びその使用は、添付の請求項に示すような特徴を有する。
【００１１】
鋭意研究の結果、予想外にもＨＡＲＭ構造が特定の有用な特性を有することを発見し、本発明を完成させるに至った。
【００１２】
ＨＡＲＭ構造（高アスペクト比分子構造）という用語は、ナノチューブ、カーボンナノチューブ、フラーレン官能化カーボンナノチューブ、ホウ素−窒化物ＮＴｓ（ＢＮＮＴｓ）、カーボン、リン、ホウ素、窒素及び／若しくはシリコンを含有するナノロッド、フィラメント並びに他のチューブ、ロッド及び／若しくはリボン又は他の例えば単離状若しくは束状の形態の高アスペクト比分子構造などのことを指す。換言すれば、１つ以上のＨＡＲＭ構造とは、１つ以上の異なる及び／又は類似のＨＡＲＭ構造のことを意味する。１つ以上のＨＡＲＭ構造とは、例えば束状及び／又は単離状の、１つ以上の類似のＨＡＲＭ構造（例えばカーボンナノチューブ）のことを意味する。
【００１３】
ＨＡＲＭ構造の１つの特徴として挙げられることは、ＨＡＲＭ構造の束では自発的に荷電するが、単離状のＨＡＲＭ構造では電気的に中性であることである。合成プロセスの間、更なる荷電のない状態において、例えば、束状のＣＮＴｓはたいてい荷電されているが、単離状のＣＮＴｓはほとんどが荷電していない。同様の挙動が全てのＨＡＲＭ構造で生じるが、その理由としては、それらが実質的に一次元の構造を有し、隣接するＨＡＲＭ構造との直接の接触に利用できる多くの原子を表層に有することが挙げられ、それにより荷電が起こる。本発明の一実施形態では、この荷電現象を利用して、１つ以上のＨＡＲＭ構造（例えば単離状の及び／又は束状のＨＡＲＭ構造）を移動させ（例えば加速し）、分離させ、及び／又は堆積させることができる。また、異なる他の特性を有するＨＡＲＭ構造を用いることにより、例えば、束上のＨＡＲＭ構造と単離状のＨＡＲＭ構造をそれぞれ分離することが可能となる。例えば、単離状のものに対する、束状のＨＡＲＭ構造量を増加させることにより、それらの異なる慣性力−誘引力比率によるそれらの分離が可能となる。この比率は、Ｓｔ＝（ρｄＵ）／（１８μＬ）で定義されるストークス数（Ｓｔ）として決定される。式中、ρは単離状若しくは束状のＨＡＲＭ構造の有効密度であり、ｄは束状若しくは単離状のＨＡＲＭ構造の有効直径であり、Ｕは担体流体速度であり、μは担体流体粘度であり、Ｌはチャネル又はジェットの特徴的な寸法である。束状のＨＡＲＭ構造は、単離状のものより高いストークス数を示す。
【００１４】
本発明の方法においては、高アスペクト比分子構造（ＨＡＲＭＳ）は、１つ以上のＨＡＲＭ構造に力（フォース）を印加することによって移動する。当該力の印加により、１つ以上のＨＡＲＭ構造が、１つ以上の物理的特徴及び／又は特性に基づいて、１つ以上の予め定められた方向へ移動する。換言すれば、当該力は、前記１つ以上ＨＡＲＭ構造を、１つ以上の所定の方向へ移動させる。当該力は、例えば、単離状のもののでなく、束状の構造を移動させることができる。また、当該力は、事前に荷電した構造を選択的に移動させることができる。
【００１５】
本発明は、高アスペクト比分子構造（ＨＡＲＭＳ）を移動させる方法の提供に関する。当該方法では、分散物（例えば１つ以上の束状及び単離状のＨＡＲＭ構造を含んでなる混合物）に対して力が印加され、当該力は、１つ以上の物理学的な性質及び特性に基づいて、束状の及び／又は単離状のＨＡＲＭ構造を移動させ、当該束状の及び単離状のＨＡＥＭ−構造を各々実質的に分離させる。好ましくは、当該力は、束状の又は単離状のＨＡＲＭ構造を実質的に移動させる。
【００１６】
当該物理的性質及び／又は特性は、例えば、ＨＡＲＭ構造の荷電及び／若しくは重量、並びに／又は、特定のＨＡＲＭ構造に作用し、それにより移動させる基となる他のいかなる特徴（例えば特性）であってもよい。物理的特徴及び／又は特性とは、例えばＨＡＲＭ構造において自然に生じるあらゆる特徴及び／若しくは特性、並びに／又は、ＨＡＲＭ構造に付与されたあらゆる特徴（例えば特性）のことを意味する。例えば、ＨＡＲＭ構造を、本発明に係る方法を実施する前及び／又は実施する間において、あらゆる適当な手段によって荷電させてもよい。例えば、束状の構造における固有の荷電、及び単離状の構造における固有の電気的中性状態に加え及び／若しくはその代わりに、当該方法を実施する前に、任意の適切な方法を使用して、１つ以上の所望の特定のＨＡＲＭ構造を荷電させてもよい。この方式では、例えば、固有の荷電を有さない単離状のＨＡＲＭ構造を荷電させ、例えばそれらの堆積を可能にすることができる。また、束状及び単離状のＨＡＲＭ構造は共に、荷電することにより、それらに所望の物理的性質が付与され、印加された力に反応できるようになる。当該力が１つ以上のＨＡＲＭ構造を移動させる際の基本となる、物理学的な性質及び特性は、好ましくは荷電（固有の荷電若しくは付与された荷電）である。
【００１７】
本発明の一実施形態では、当該方法は、ＨＡＲＭ構造の合成及び／又は製造後のステップとして実施される。換言すれば、ＨＡＲＭ構造は、本発明に係る方法を実施する前に調製されてもよく、及び／又は、本発明に係る方法の実施後に調製されてもよい。本発明の方法はまた、ＨＡＲＭ構造の調製ステップの中で実施してもよい。
【００１８】
本発明の一実施形態では、前記分散物（例えば混合物）を、エアゾールとして気相中に懸濁させてもよく、アクアゾールとして液体中に懸濁させてもよく、顆粒及び／又は粉体の媒体中に懸濁させたえもよく、ガラス及び／又は固体中に存在させてもよく、及び／又は真空中に存在させてもよい。ＨＡＲＭ構造は、ガス中の分散物、液体中の分散物及び／又は固体中の分散物として調製されてもよい。
【００１９】
当該分散物を、例えば電界に置くことにより、固有の電荷を有する束状のＨＡＲＭ構造は電界中を移動若しくは加速するが、一方単離状のＨＡＲＭ構造は実質的に影響を受けない。換言すれば、前記力は、例えば選択的に、束状及び／又は単離状のＨＡＲＭ構造を相互に移動させ、それにより束状及び単離状のＨＡＲＭ構造は分離及び／又は単離される。
【００２０】
本発明の一実施形態では、当該方法は更に、１つ以上のＨＡＲＭ構造を、ガス中、液体中及び／又は固体中に分散させ、及び／又はマトリックス及び／又は表面上に、積層体、パターン及び／又は構造体として堆積させることを含んでなる。例えば束状若しくは単離状のＨＡＲＭ構造を堆積させることができる。例えば分離された、束状及び／又は単離状のＨＡＲＭ構造を堆積させることができる。例えば束状及び単離状のＨＡＲＭ構造を堆積させることができる。例えば束状及び単離状のＨＡＲＭ構造の分散物を堆積させることができる。
【００２１】
例えば束状のＨＡＲＭ構造は、必要に応じて、本発明に係る方法で予め移動させることにより単離させた後で表面に体積させてもよい。例えば、このような方法により、前記ＨＡＲＭ構造を分散物から取り出し、それらを更なる使用のために回収してもよい。前記ＨＡＲＭ構造はまた、必要に応じて分散物のままの状態にし、かかる方法を用いて、束状及び単離状のＨＡＲＭ構造をそれぞれ含んでなる２種類の分散液を調製してもよい。
【００２２】
異なるタイプの力を、本発明に係る方法で使用してもよい。１つ以上のＨＡＲＭ構造を移動及び分離させ、例えば更に堆積させる力は、電気、静電気、磁気、慣性力、音、粘性、光拡散、熱拡散及び／又は重力などであってもよい。幾つかの種類の力を組み合わせてもよい。力を組み合わせて、例えば慣性による衝突、重力固定及び音響焦点の形成などを実施してもよい。
【００２３】
本発明の一実施形態では、ＨＡＲＭ構造は固有に荷電された構造であってもよく、荷電されていない構造であってもよい。本発明の一実施形態では、ＨＡＲＭ構造は正に荷電してもよく、負に荷電してもよく、又は中性荷電（ゼロ荷電）であってもよい。本発明の一実施形態では、ＨＡＲＭ構造は、いかなる適切な方法を使用して荷電させてもよい。
【００２４】
本発明の一実施形態では、１つ以上のＨＡＲＭ構造を移動させる力は、固有の荷電を有する束状のＨＡＲＭ構造を移動させる電気力を含んでなる。本発明の一実施形態では、当該力は慣性力を含んでなり、それは束状のＨＡＲＭ構造に作用し、それにより好ましくは移動させる。
【００２５】
本発明の一実施形態では、１つ以上のＨＡＲＭ構造を移動させる電気力は静電力（すなわち電界）により提供される。静電力は、例えば、不導体若しくは半導体基材に導電材料を接触させて基材の表面を荷電させることにより提供することができ、その結果、所定の荷電を有する１つ以上の同じ及び／又は異なるＨＡＲＭ構造を、逆の荷電を有する表面の領域へ移動させることが可能となる。当該伝導材料は、パターン化されたスタンプ又はマスクの形態であってもよい。このパターン化されたスタンプ又はマスクは、接触荷電によって、不導電性若しくは半導電性材料の表面に移動させることができる。所望のＨＡＲＭ構造のみが荷電されたパターンへ移動し、そこで堆積し、それによりＨＡＲＭ構造がパターン化された態様で堆積する。
【００２６】
更に、移動（例えば加速）及び／又は更に沈着させるための力として、熱拡散力が挙げられる。熱拡散力は、例えば、平行して存在する冷却プレート又は表面に近接する加熱プレート又は表面により提供でき、それにより所望の１つ以上のＨＡＲＭ構造を、冷却されたプレート又は表面の方向に移動させることが可能となる。更に、冷却されたプレートを、予め定められた部分のみを加熱して高温部分と低温部分が交互に存在するパターンを形成させ、それにより、所望の１つ以上のＨＡＲＭ構造を冷却された領域へ移動させ、ＨＡＲＭ構造の堆積パターンを形成させることができる。また、前記冷却されたプレート又は表面と、ＨＡＲＭ構造の分散物／混合物との間に基材を配置して、所望の１つ以上のＨＡＲＭ構造を冷却された領域へ移動させ、それにより当該基材上にパターン化された堆積物を形成させることも可能である。
【００２７】
本発明の一実施形態では、１つ以上の反応物質、薬剤、コーティング材料、官能化材料、界面活性剤及び／又はドーパントを、１つ以上のＨＡＲＭ構造（例えば束状の及び単離状のＨＡＲＭ構造を含む分散物に、束状のＨＡＲＭ構造に、又は単離状のＨＡＲＭ構造）に添加してもよい。この方法においては、例えば、堆積前にＨＡＲＭ構造を修飾し、及び／又は、例えば、コンポジット若しくは官能化材料を形成させるか、又は堆積前に１つ以上のＨＡＲＭ構造を修飾させてもよい。
【００２８】
分離され、分散された単離状及び／又は束状のＨＡＲＭ構造を、本発明に係る方法により、物体面、フィルム及び／又は固体状、液体状及び／又はガス状の分散物、及び／又はマトリクス材料の表面及び／又は内部に堆積させてもよい。ＨＡＲＭ構造はまた、それらが例えば堆積及び／又は回収される前及び／又は後に、正しい位置に置かれ、コーティングされ、官能化、及び／又は修飾されてもよい。束状の及び／又は単離状のＨＡＲＭ構造は、定義済みの場所において、パターンとして、及び／又は構造体として堆積されてもよい。
【００２９】
更に様々な手段を用いてＨＡＲＭ構造の堆積効率を上昇させてもよく、そのような手段としては、限定されないが電気泳動、磁気泳動、熱拡散、慣性衝突、重力固定、光拡散、音響焦点及び／又は他の同様の手段が挙げられる。
【００３０】
ＨＡＲＭ構造（例えばＨＡＲＭ構造コンポジット）は、ガス中、液体中、固体中、粉体中、ペースト中に分散させ、及び／又はコロイド状の懸濁液として調製してもよく、及び／又はそれらを物体面上に堆積させてもよい。
【００３１】
本発明は更に、前記方法の、１つ以上のＨＡＲＭ構造の生産、分離、修飾、堆積及び／又は更なる処理のための連続処理又はバッチ処理への使用に関する。
【００３２】
本発明は更に、官能性材料の調製への、本発明に係る方法の使用に関する。
【００３３】
本発明は更に、厚い若しくは薄いフィルム、ライン、導線、パターン、層状及び／又は三次元構造の調製における、本発明に係る方法の使用に関する。
【００３４】
本発明は更に、装置の調製への、本発明に係る方法の使用に関する。当該装置は例えば、コンデンサの電極、燃料電池又はバッテリー、論理ゲート、電気機械式アクチュエータ、インバータ、プローブ又はセンサ、光源又はダイオード、熱電子電力供給、電界効果トランジスタ、ヒートシンク又はヒートスプレッダ、プリント配線中の金属マトリックスコンポジット又はポリマーマトリックスコンポジット、トランジスタ、薬剤分子の担体又は電界放出ディスプレイ中の電子エミッタであってもよい。当該装置は更に、本発明に係る方法を使用して調製できる他のいかなる装置であってもよい。
【００３５】
本発明に係る方法の効果としては、それが連続工程及び／又はバッチ工程で実施できるということである。更に、当該方法により、支持媒体の有無における、単離状のＨＡＲＭ構造と、束状のＨＡＲＭ構造とのｉｎ  ｓｉｔｕにおける分離が可能となる。
【００３６】
本発明に係る方法の効果としては、それが高い基材温度又は表層反応性の使用を必要とせず、また当該ＨＡＲＭ構造が、それが堆積するのと同じ位置において合成される必要がないということが挙げられる。この方法によって、広範囲にわたる、従来利用できなかった基材、及び／又は合成方法を新規な材料、部品又は装置の製造に使用することが可能となる。その利点としては、当該分離の後に、前記ＨＡＲＭ構造の均一な及び／又はパターン化された堆積を、いかなる温度及び／又は反応性による制限を伴うことなく、多種多様な基材上で実施できることが挙げられる。例えば、常温で回収を実施できるため、単離状若しくは束状のＣＮＴｓを、例えば多種多様な基材（高い処理温度に対する耐久性を有さない基材を含む）上に堆積させることができる。当該方法によって更に、ＨＡＲＭ構造が、それらが分離され、堆積し、回収され及び／又はパターン化されるのとは異なる場所において合成され、それにより、様々な基材、パターニング及び／又は合成方法の使用が可能となる。
【００３７】
更なる効果としては、当該ＨＡＲＭ構造をフィルム又は層として物体表面に、又は三次元構造中に、又はガス、液体若しくは分散物中に直接堆積させることができるということである。当該ＨＡＲＭ構造はまた、パターン化された及び／又は層をなした堆積物として、物体表面上又は三次元パターン化された多層構造中に直接堆積させることができ、それをＨＡＲＭベースの装置に組み込むことができる。
【００３８】
更に、分離及び／又は堆積プロセスは例えば、ＨＡＲＭ構造の合成プロセスと直接組み合わせてもよい。これによって、本発明に係る方法を、ＨＡＲＭ構造ベースの分散物、フィルム、パターン及び階層構造の生産のための連続プロセスと組み合わせることが可能となる。言い換えると、本発明に係る方法は、限定されないが、例えばＨＡＲＭ構造の合成、異なる種類のＨＡＲＭ構造の分離、ＨＡＲＭ構造の合成中におけるそれらの堆積及び未反応の試薬の再利用などの複数のステップを含む広範囲なプロセスの一部であってもよい。
【００３９】
以下のセクションにおいて、添付の図面を参照しながら、本発明の実施態様を説明する。
【発明を実施するための最良の形態】
【００４０】
図１は、束状のＨＡＲＭ構造を移動させ、それにより単離状のＨＡＲＭ構造から分離する、本発明の方法の一実施形態を例示する。束状及び単離状のＨＡＲＭ構造（１）の混合物に、力（２）を印加すると、少なくとも１つの物理的性質（例えば特性）に基づいて選択的に束状又は単離状のＨＡＲＭ構造に作用し、それらを互いに識別し、移動（例えば加速）させて、複数の単離状（３）及び束状（４）のＨＡＲＭ構造となるように空間的に分離させる。
【００４１】
図２ａは、束状及び単離状のＨＡＲＭ構造（１）の混合物が、例えば担体ガス、液体、又は真空中に懸濁される、本発明の一実施形態を例示する。前記分散物を、電圧差（６）を利用して電界を通過させる。束状のＨＡＲＭ構造は固有に実質的な荷電を有し、一方単離状のＨＡＲＭ構造は荷電を有さないため、当該電界の存在により、束状のＨＡＲＭ構造（４）が電界（移動する方向は、それらの全体的な荷電状態に依存する）中を移動し、個々のＨＡＲＭ構造（３）から分離され、ほとんど影響を受けずに電界中を通過する。換言すれば、単離状のＨＡＲＭ構造がチャネルを出て、一方固有の荷電を有するＨＡＲＭ構造はチャネルの壁（９）の方向に加速される。
【００４２】
同様に、図２ｂは、バッチモードで実施した当該方法を例示する。そこでは、束状及び単離状のＨＡＲＭ構造（１）の分散物をチャンバー（１３）に配置し、そこで電気ポテンシャル又は電圧（６）を印加し、束状（４）及び単離状（３）のＨＡＲＭ構造の分離及び堆積を生じさせる。固有の荷電を有する束状のＨＡＲＭ構造は壁（９）の方向へ加速され、一方単離状のＨＡＲＭ構造は懸濁されているままである。
【００４３】
図３は、本発明の方法の他の実施形態を例示する。束状及び単離状のＨＡＲＭ構造（１）の混合物を液体又はガス中に懸濁し、力（この場合、慣性力若しくは重力加速）を印加し、束状（４）及び単離状（３）のＨＡＲＭ構造に分離させる。ここで、束状のＨＡＲＭ構造は単離状のＨＡＲＭ構造よりも選択的に堆積し、慣性力及び誘引力のバランスがとられながら、単離状のＨＡＲＭ構造の懸濁物が生成する。当該分散物は、この実施形態では、カーブするチャネル（９）ａ）に配置されるか、又は表面（４）ｂ）に向けて配置され、高い有効ストークス数を有する束状のＨＡＲＭ構造が当該表面の方向へ加速され、一方当該単離状のＨＡＲＭ構造が懸濁されているままである。更に、束状のＨＡＲＭ構造を基材上に堆積させることができる。あるいは、ｃ）において、単離状及び束状のＨＡＲＭ構造の分散物（１）を、重力（８）とは反対方向に、拡散チャネル（７）中に注入する。懸濁液又はガスの速度は拡散チャネル中で減少する。それにより、束状のＨＡＲＭ構造（４）より低いストークス数を有する単離状のＨＡＲＭ構造（３）は、束状のＨＡＲＭ構造よりチャネルの上方に移動し、それらが分離される。
【００４４】
図４は、分離された単離状のＨＡＲＭ構造（３）を、静電的な沈殿によって分離板（９）上に沈殿させることができることを例示する。本願明細書において、電圧（１１）を針（１２）に印加して電子雲を形成させ、更にそれを用いて、予め荷電を有さない単離状のＨＡＲＭ構造を荷電させる。この装置において、ガスをイオン化し、２枚のプレートの間に小さい電流を生じさせるコロナ放電を使用して、電界中でＨＡＲＭ構造を荷電させる。その後、力（この場合、静電的な移動速度）を使用し、それらを基材（９）が位置する回収プレート（１０）上に堆積させる。更に、堆積させる位置は電界を局地的に適宜変化させることにより操作でき、それによりパターン化された堆積が可能となる。様々な手段を利用して、電界の局地化を行うことができる。
【００４５】
図５は、静電力を用いて堆積パターンを作製する１つの方法を例示する。荷電のパターンは例えば、導電材料（１４）のスタンプ又はマスクを作製し、基材に当該マスクを貼り付け、スタンプ又はマスク（１５）と接触している基材のそれらの領域に荷電を加えることにより、半導体又は不導体基材（９）上に局所化させることができる。スタンプ又はマスクを除去した後、接触していた領域は荷電されたままであり、束状の及び単離状の混合物の分散物（１）、束状（４）又は単離状（３）のＨＡＲＭ構造が帯電した基材の付近に移動し、更に局地的な電界の存在により、逆の荷電を有する物質が所定パターンの方向へ加速し、スタンプ又はマスクのパターンに従って堆積する。以上より、堆積パターンが、かかるスタンプ又はマスクの通りに形成される。
【００４６】
図６は、熱拡散力を用いてＨＡＲＭ構造（１，３，４）を基材に堆積させる本発明の一実施形態を例示する。熱拡散的な沈殿装置を使用して粒子を沈澱させることによる顕著な効果としては、いかなるタイプの基材にも使用できるという点である。ここで、担体ガス及びＨＡＲＭ構造を含んでなるエアゾールを調製し、被加熱プレート（１６）と冷却プレート（１７）間の隙間を通過させる。公知技術の様々な手段を用いてプレートを加熱し、冷却することができるが、好ましい実施形態では、加熱プレートは電流により加熱され、冷却プレートは冷水流により熱伝導的に冷却される。更にＨＡＲＭ構造は加熱プレートから冷却プレートに移り、付属の基材（９）上に堆積する。
【００４７】
図７ａは、ＨＡＲＭ構造を、回収プレート上の加熱・冷却パターンの通りに堆積させる、ＨＡＲＭ構造の堆積方法を例示している。ここで、複数の加熱（１８）及び冷却（１９）部材を、基材（９）一方の側に配置し、束状及び／又は単離状のＨＡＲＭ構造（１，３，４）の混合物を含むエアゾールを基材の反対側の加熱プレート（１６）の間に配置する。ＨＡＲＭ構造は更に、基材の比較的冷却された部分上へ、熱拡散力によって堆積する。また、他の手段を用いて、基材上の冷温パターンを形成させてもよい。例えば、熱伝導性が低い基材の場合は、放射線（例えばレーザー照射）を用いることが可能である。例えば、レーザビームのパターンを冷却された基材に照射し、特定の領域のみを加熱することができる。本発明に係る方法を用いて、図７ｂに図示するように、異なる位置に置かれた異なる特性を有するＨＡＲＭ構造を堆積させることができる。ここで、時間間隔１（ｔ１）において、基材の冷温を所定のパターンで形成させ、タイプ１のＨＡＲＭ構造に堆積させる。その後、基材の冷温パターンを変化させ、タイプ２のＨＡＲＭ構造を堆積させる。当該方法を反復することにより、複合的な、多様な特性を有する堆積パターン作製することができる。
【００４８】
図８は、本発明に係る方法をＨＡＲＭの製造工程に適用した態様を例示する。図８においては、本発明に係る方法は、公知の浮遊触媒によるＨＡＲＭ製造工程に適用されている。ここで、触媒粒子又は触媒粒子前駆体（２０）を、必要に応じて適当な給源（２２）及び更なる試薬（２３）と共に、ＨＡＲＭ反応器（２１）に添加する。ＨＡＲＭ構造のエアゾールは反応器を出て、束状のＨＡＲＭ構造（４）と単離状のＨＡＲＭ構造（３）を分離する、本発明に記載のいずれかの方法に従い作動する分離装置（２４）中で分離される。その後、単離状のＨＡＲＭ構造を調節反応器（２５）中で荷電させ、コーティングし、官能化させ、又は修飾させることができ、更に束状の及び／又は単離状のＨＡＲＭ構造を移動させるための、本発明に記載のいずれかの方法に従い、堆積反応器（２７）中で基材（９）に堆積させることができる。堆積した層は、本発明に記載されている方法に従って均一な層として形成されてもよく又はパターン化されてもよい。更に、堆積した層を、いかなる適切な方法により更に処理してもよい。更に、未使用の前駆体及び／又は試薬を、公知の手段によって回復反応器（３０）において回収し、生産サイクルにフィードバックしてもよい。当該方法を繰り返してもよい。
【実施例】
【００４９】
以下の実施例では、束状及び単離状のＨＡＲＭ構造（この実施例ではカーボンナノチューブ（ＣＮＴ）と称する）を、本発明に記載されている方法で移動させ、それにより各々分離させ、別個に堆積させる態様を示す。
【００５０】
全ての実施例において、ＣＮＴｓを分離及び堆積ステップの上流で連続的に合成し、束状及び単離状のＣＮＴｓの混合物を含有するエアゾールを調製した。公知のように、熱線発生器（ＨＷＧ）方法を用いてＣＮＴｓの合成を行った。当該方法では、Ｆｅ触媒粒子を、Ｈ２／Ａｒ（７／９３モルの比率）、流速度（４００ｃｍ３／分）で、抵抗を利用して加熱した触媒のワイヤからの蒸発によって調製した。蒸気核形成、凝結及び粒子凝固プロセスにより粒子を形成させ、成長させた。その後、生成された粒子を約４００℃でセラミック製のチューブ反応器に添加し、４００ｃｍ３／分で一酸化炭素（ＣＯ）流を導入して混合さ、加熱（７００℃〜９００℃）してＣＮＴ形成を誘導させた。多孔性のチューブ状の希釈装置（６Ｌ／分）を反応器の下流に設置し、壁上への生成物の堆積を防止した。エッチング剤として反応器に１２ｃｍ３／分でＣＯ２を導入した。特に明記しない限り、全ての実験を、１９Ｗの導線、ＣＯ／（Ａｒ−Ｈ２）（９３−７モルの比率）混合物中における５３％のＣＯ濃度、及び７００℃のピーク反応器温度となるような加熱条件で実施した。エアゾール中の粒子（すなわち気相中に分散する触媒粒子、単離状のＣＮＴ及び束状のＣＮＴ）の移動性サイズ分布を、分類装置、凝結粒子カウンタ及び任意の２４１Ａｍ二極式チャージャからなる、差動可動性分析システムを用いて測定した。内部電極に正及び負の両方の極性を十分にアプライする電源を用い、一方、外部電極が接地されるように維持した。静電フィルタ（ＥＳＦ）を反応器の下流に配置し、帯電エアゾール粒子（必要な場合）の濾過に用いた。ＥＳＰは１５ｃｍ（長さ）×２ｃｍ（高さ）の寸法を有する２枚の金属プレートから構成させ、各々１ｃｍの間隔となるように配置した。この装置を、プレートのうちの１枚を高電圧（約４０００Ｖ）に接続し、他のものを接地するように構成することにより、帯電エアゾール粒子の除去が可能となった。触媒粒子及びＣＮＴ  ＨＡＲＭ構造を含有するエアゾール粒子を、ＴＥＭによるそれらの構造評価のために、カーボンコーティングした銅のグリッドに回収した。
【００５１】
＜実施例１＞：束状のＨＡＲＭ構造の固有の荷電を利用した静電的な沈殿による、束状及び単離状のＣＮＴ  ＨＡＲＭ構造の移動及び分離
【００５２】
固有の帯電を有するエアゾール粒子（すなわちより事前の外部二極式チャージャを用いずに得られたＤＭＡ）の移動性サイズ配布を、図９に示す。図は、球面形状及び単一の荷電を有するものと仮定した等価移動性直径（Ｄ）、及び逆の電気的移動性（１／Ｚ）上の測定された頻度の依存性を示す。明らかなように、約４５ｎｍの平均移動性直径を有する幅広い移動性配布は、極性のバイアスの存在にもかかわらず、ＣＮＴｓの存在に起因していた。７００℃で調製され、ガスフェーズからＴＥＭ格子上へ直接集められたサンプルのＴＥＭ観察により、当該ナノチューブが単一の壁を有し、明らかに凝集して束を形成している（図９ｂ）ことが示された。ＤＭＡは帯電エアゾール粒子のみを分類できるため、これらの結果は、反応器に由来するナノチューブが固有に帯電していたことを示すものである。更にこの現象を、ＤＭＡにアプライされた極性とは別に観察した。濃度測定値によれば、ＣＮＴｓはほぼ等しく正電荷及び負電荷を有し、それぞれＮ＋＝４７％及びＮ−＝５３％のフラクションであった（テーブル１）。
【００５３】
ＨＷＧによる金属ナノ粒子構造を事前に調査した結果、当該粒子は、形成された後で電荷を有していた。Ｆｅ触媒粒子が当該システムにおいて電荷を有し、それによりナノチューブの荷電の起源となるか否かを解析するため、ＣＯをＮ２で置き換え（それによりＣＮＴｓの形成を防止し）た。２５℃〜９００℃までの温度で実施した調査の結果、ほとんど全てのＦｅ粒子（最高９９％）が電気的に中性であり（テーブル２）、触媒粒子がナノチューブに観察される荷電には直接関係していないことを示唆するものであった。
【００５４】
中性のエアゾール粒子の移動性サイズ分布を測定するため、ＥＳＦの電極間に電位差を印加することにより、帯電エアゾールを除去した。抽出された中性のエアゾール粒子を、ＤＭＡによる移動性分布の測定前に、外部二極式チャージャ（２４１Ａｍ）を使用して人工的に荷電させた。５ｎｍの平均等価直径を有するピークが観察され、ＣＮＴｓの成長において不活性のままであったＦｅ触媒の粒子であることが解った。すなわちこれらの結果は、全てのナノチューブがＥＳＦに堆積し、ゆえに帯電したことを示すものであった。同様の結果が、８００℃及び９００℃（テーブル１）で得られた。
【００５５】
表１：
ＣＮＴｓの荷電フラクション（Ｎ＋／−）（異なる反応器温度で、５３％のＣＯ及び１９Ｗの電力を使用して合成）。（Ｎ＋）及び（Ｎ−）は帯電したＣＮＴｓの極性分布を示す。
【表１】
0005554501.tif 000002
【００５６】
表２：
Ｎ２雰囲気下、異なる反応器温度において、ＨＷＧ法により調製したＦｅ触媒粒子の帯電フラクション（Ｎｐ＋／−）。（Ｎｐ＋）及び（Ｎｐ−）は帯電した触媒粒子の極性分布を示す。
【表２】
0005554501.tif 000003
【００５７】
ガスと物体面との反応により金属面において電子励起が誘導されることが公知である。強い発熱反応が起こるとき、これらの励起により表面からイオン及び電子が放出される。その結果、ＣＮＴｓの成長に必要とされる発熱性のＣＯ不均化反応が、それらの荷電において役割を果たすものと推測できる。それを研究するための実験を、ＣＯ濃度を変化させて実施した。帯電したＣＮＴｓ（Ｎ＋／−）のフラクションを量的に推定するために移動性サイズ分布を、分類装置の前に２４１Ａｍ二極式チャージャで正確に測定した。図１０ａは、２７％、３４％及び５３％のＣＯ濃度における、全てのＣＮＴｓ（ＥＳＦオフ）と、中性ＣＮＴｓ（ＥＳＦオン）の移動性サイズ分布との間の比較を示す。予想されるとおり、ＣＮＴ濃度は反応器に導入した炭素源（ＣＯ）の濃度によって増加した。２７％の濃度で、全てのＣＮＴｓ及び中性の断片の移動性サイズ配布は同一になり、ほとんど全てのＣＮＴｓが電気的に中性であることが示された。しかしながら、ＣＯ濃度が増加するに従い、中性のＣＮＴｓのフラクションは徐々に減少した。すなわち、５３％のＣＯでほとんど全てのＣＮＴｓが帯電した。図１０ｂは、帯電ナノチューブ（Ｎ＋／−）の総フラクション及び生成物の濃度に対する、ＣＯ濃度の効果を簡潔に例示する。
【００５８】
これと同様の方法で、ＣＯ濃度を５３％で一定に維持したときの、導線に印加する電力を１６Ｗから１９Ｗに変化させた際の移動性分布も測定した。精製するＦｅ触媒粒子の濃度が高くなるため、当該電力を上昇させることにより、ＣＮＴｓの濃度が上昇した。その結果、ナノチューブによる束の形成が増加した。図１１から明らかなように、帯電ＣＮＴｓのフラクションは、加熱導線に印加される電力に伴い増加した。
【００５９】
以上の結果から、高い濃度のＣＮＴｓにより、効果的が荷電が可能になることが示された。この事実はＣＮＴｓの束の形成に関係するが、なぜなら、当該束形成の可能性は、気相中のそれらの濃度によって増加するからである。したがって、束の形成の進行中に、ＣＮＴｓの固有の荷電が生じうる。この仮説は、帯電ＣＮＴｓを含有するサンプルのＴＥＭ観察によりサポートされ、そこでは束状のＣＮＴｓのみが観察された（図９ｂ）。
【００６０】
中性のＣＮＴｓのフラクションを回収するため、ＥＳＦを用いて帯電ＣＮＴｓを除去した。ＣＮＴｓを１６．５Ｗの電力を用いて加熱して合成し、ＣＮＴｓを低い濃度に維持し、それによりそれらの束形成を最小限に抑えた。これらの実験条件では、帯電ＣＮＴｓのフラクションは約１２％であると推定された。ｐｏｉｎｔ−ｔｏ−ｐｌａｔｅによる静電堆積装置を使用して、ＴＥＭ穿孔カーボンフィルム基材上へ、ＣＮＴｓを気相から直接に回収した。中性のＣＮＴｓのＴＥＭ観察から、単離状のＣＮＴｓ（図１２ａ）のみが存在することが明らかとなった。全ての生成物のコレクション（すなわち帯電ＣＮＴｓを除去しない）から、束状及び単離状のＣＮＴｓ（図１２ｂ）の存在が明らかとなった。これは、単離状のＣＮＴｓが中性であり、一方束状のそれが帯電していたことを示す。
【００６１】
荷電による効果は、ＣＮＴの束形成の間に放出されるヴァンデルヴァールスエネルギーにより説明されうる。全体の自由エネルギーを最小化するため、単離状のチューブは、お互い平行の位置関係をとりながらＣＮＴｓの束を形成する。この結果比較的高いエネルギー放出が生じ、例えば、２つのアームチェア形のＣＮＴｓの束（１０，１０）では、９５ｅＶ／１００ｎｍもの全エネルギーの減少につながる。上記の束は、リリースされたヴァンデルヴァールスエネルギーの消散を経て、電子及びイオンを放出するために荷電されうる。ＣＮＴｓの、高い接触領域  対  表面積の比率、及び、高い表面積  対  体積の比率により、顕著に荷電されるものと考えられ、それは高い及び／又は低いアスペクト比の構造では検出可能ではないと考えられる。
【００６２】
束形成による荷電プロセスは、これらのほぼ一次元の構造における、高い接触領域  対  体積比率と直接関連があるため、これらの発見を、上記したようなあらゆる高アスペクト比分子構造（ＨＡＲＭ構造）にも適用できる。
【００６３】
＜実施例２＞：気相における束状及び単離状のＣＮＴの分離、並びにポリマーベースの基材及びＳｉ３Ｎ４基材上への、別々の静電的な堆積
【００６４】
本発明に係る方法によって、束状及び単離状のＣＮＴｓを移動させ、分離させた。分離されたＣＮＴｓを更に、〜３００℃の融解温度においてポリマーベースの基材（ＳＵ−８、１０μｍ厚の層）及びＳｉ３Ｎ４基材（１１９μｍ厚の層）に別々に堆積させた。静電堆積装置（図４）を使用して堆積プロセスを実施した。図１３ａからｂにおいて例示される原子力顕微鏡検査（ＡＦＭ）の画像を解析した結果、単離状のＣＮＴｓの存在が示され、それは堆積前に荷電しており、０．７〜１．１ｎｍにわたる長直径を有し、ＴＥＭでの測定結果と整合していた。更に、Ｓｉ３Ｎ４基材（厚さ１００ｎｍ）に回収された単離状のＣＮＴｓのＡＦＭイメージを図１４に示す。
【００６５】
＜実施例３＞：気相中における束状及び単離状のＣＮＴｓの分離、及びＳｉＯ２基材上での加熱器による分離された堆積
【００６６】
本発明に係る方法によって、束状及び単離状のＣＮＴｓを移動させ、分離させた。分離されたＣＮＴｓを更に、〜３００℃の融解温度においてポリマーベースの基材（ＳＵ−８、１０μｍ厚の層）及びＳｉ３Ｎ４基材（１１９μｍ厚の層）に別々に堆積させた。熱拡散沈殿装置（図６）を使用して堆積プロセスを実施した。図１５における原子力顕微鏡検査（ＡＦＭ）イメージにより、単離状のＣＮＴｓの存在が示された。
【００６７】
本発明は単に上記実施例に記載の実施形態にのみ限定されるものではなく、特許請求の範囲に表される技術思想の範囲内で、多くの変更態様を実施することができる。
【図面の簡単な説明】
【００６８】
【図１】ＨＡＲＭ構造を移動させ、それにより単離状のＨＡＲＭ構造と束状のＨＡＲＭ構造を分離する、本発明の方法の一実施態様を例示する。
【図２ａ】束状のＨＡＲＭ構造を連続的に分離させ、選択的に堆積させる、本発明の方法の一実施形態を例示する。
【図２ｂ】では、束状のＨＡＲＭ構造をバッチ分離し、選択的に堆積させる、本発明の方法の一実施形態を例示する。
【図３ａ】束状のＨＡＲＭ構造を分離させ、選択的に堆積させる、本発明の方法の別の実施形態を例示する。
【図３ｂ】同上。
【図３ｃ】同上。
【図４】単離状のＨＡＲＭ構造を堆積させる、本発明の方法の一実施形態を例示する。
【図５】束状及び単離状のＨＡＲＭ構造の混合物、束状ＨＡＲＭ構造のみ及び／又は単離状ＨＡＲＭ構造のみを、パターンとして堆積させる、本発明の一実施形態を例示する。
【図６】束状及び単離状のＨＡＲＭ構造の混合物、束状ＨＡＲＭ構造のみ及び／又は単離状ＨＡＲＭ構造のみを、熱拡散により堆積させる、本発明の一実施形態を例示する。
【図７ａ】束状及び単離状のＨＡＲＭ構造の混合物、束状ＨＡＲＭ構造のみ及び／又は単離状ＨＡＲＭ構造のみを、パターンとして熱拡散により堆積させる、本発明の別の実施形態を例示する。
【図７ｂ】同上。
【図８】ＨＡＲＭ構造の合成及び更なる処理のための連続プロセスを例示する。
【図９ａ】気相中における束状ＣＮＴｓの、正及び負に固有に荷電したフラクションの移動性サイズ分布（２４１Ａｍ二極性チャージャを含まないＤＭＡを使用して測定）を例示する。
【図９ｂ】成長時の束状のＣＮＴｓのＴＥＭイメージを示す。
【図１０ａ】異なるＣＯ濃度における、全ての中性のＣＮＴｓ及び触媒粒子の移動性サイズ分布を例示する。
【図１０ｂ】荷電した粒子（Ｎ＋／−）のフラクション、及びＣＯ濃度に対する粒子濃度（数）のプロットを例示する。
【図１１ａ】異なる熱線加熱における、全ての中性のＣＮＴｓ及び触媒粒子の移動性サイズ分布を例示する。
【図１１ｂ】荷電した粒子（Ｎ＋／−）のフラクション、及び熱線加熱に対する粒子濃度（数）のプロットを例示する。
【図１２ａ】（ａ）単離状のＣＮＴｓ、及び（ｂ）単離状及び束状のＣＮＴｓ両方のＴＥＭイメージを例示する。
【図１２ｂ】同上。
【図１３ａ】単離状のＣＮＴｓのＡＦＭ像が、（ａ）感熱性のポリマーベースの基材（ＳＵ−８、１０μｍ厚の層）、及び（ｂ）Ｓｉ３Ｎ４基材（１１９μｍ厚の層）に堆積している状態を示す。
【図１３ｂ】同上。
【図１４】Ｓｉ３Ｎ４膜格子に置かれた単離状のＣＮＴｓのＡＦＭ像を例示する。
【図１５】ＳｉＯ２基材に置かれた単離状のＣＮＴｓのＡＦＭ像を例示する。
【図１】
0005554501.tif 000004
【図２ａ】
0005554501.tif 000005
【図２ｂ】
0005554501.tif 000006
【図３ａ】
0005554501.tif 000007
【図３ｂ】
0005554501.tif 000008
【図３ｃ】
0005554501.tif 000009
【図４】
0005554501.tif 000010
【図５】
0005554501.tif 000011
【図６】
0005554501.tif 000012
【図７ａ】
0005554501.tif 000013
【図７ｂ】
0005554501.tif 000014
【図８】
0005554501.tif 000015
【図９ａ】
0005554501.tif 000016
【図９ｂ】
0005554501.tif 000017
【図１０ａ】
0005554501.tif 000018
【図１０ｂ】
0005554501.tif 000019
【図１１ａ】
0005554501.tif 000020
【図１１ｂ】
0005554501.tif 000021
【図１２ａ】
0005554501.tif 000022
【図１２ｂ】
0005554501.tif 000023
【図１３ａ】
0005554501.tif 000024
【図１３ｂ】
0005554501.tif 000025
【図１４】
0005554501.tif 000026
【図１５】
0005554501.tif 000027